(57)【要約】【課題】ジャムの発生により生じるダウンタイムを低減させる。【解決手段】定着装置４０は、定着ジャムではなく、搬送路におけるジャムが発生し、搬送路におけるジャムを発生させた記録材が取り除かれた場合に、定着ローラの表面温度を、記録材に対応した温度へ温調するようになっている。その結果、定着ローラを清掃温度に温調するための時間を要することなく直ちに記録材Ｐに対応した温度へ温調する。【選択図】図６
2015087700.tif 000002
【特許請求の範囲】
【請求項１】
トナー像が形成された記録材を搬送する搬送路により搬送された記録材を、前記トナー像を記録材へ定着するための定着ローラと加圧ローラにより挟持して搬送しながらトナー像を前記記録材へ定着する定着装置であって、
前記記録材が前記定着ローラに巻き付く定着ジャムが発生し、前記定着ジャムを発生させた記録材が取り除かれると、前記定着ローラの表面温度を、前記定着ローラに付着したトナーを清掃するための予め定められた温度へ温調する清掃温度温調手段と、
前記清掃温度温調手段により前記表面温度が前記予め定められた温度になった場合に、前記定着ローラを清掃する清掃手段と、
前記搬送路におけるジャムが発生し、前記搬送路におけるジャムを発生させた記録材が取り除かれた場合、または、前記清掃手段により前記定着ローラが清掃された場合に、前記定着ローラの表面温度を、前記記録材に対応した温度へ温調する記録材対応温度温調手段と
を備えたことを特徴とする定着装置。
【請求項２】
前記記録材に対応した温度が、前記予め定められた温度よりも高温である場合には、前記清掃温度温調手段は、前記定着ジャムを発生させた記録材が取り除かれると、前記定着ローラの表面温度を、前記記録材に対応した温度へ温調することを特徴とする請求項１記載の定着装置。
【請求項３】
トナー像が形成された記録材を搬送する搬送路により搬送された記録材を、前記トナー像を記録材へ定着するための定着ローラと加圧ローラにより挟持して搬送しながらトナー像を前記記録材へ定着する定着装置を備えた画像形成装置であって、
前記記録材が前記定着ローラに巻き付く定着ジャムが発生し、前記定着ジャムを発生させた記録材が取り除かれると、前記定着ローラの表面温度を、前記定着ローラに付着したトナーを清掃するための予め定められた温度へ温調する清掃温度温調手段と、
前記清掃温度温調手段により前記表面温度が前記予め定められた温度になった場合に、前記定着ローラを清掃する清掃手段と、
前記搬送路におけるジャムが発生し、前記搬送路におけるジャムを発生させた記録材が取り除かれた場合、または、前記清掃手段により前記定着ローラが清掃された場合に、前記定着ローラの表面温度を、前記記録材に対応した温度へ温調する記録材対応温度温調手段と、
前記定着ローラの表面温度が前記記録材に対応した温度に温調されると、前記記録材へトナー像を形成する画像形成動作を再開する再開手段と
を備えたことを特徴とする画像形成装置。
【請求項４】
前記記録材に対応した温度が、前記予め定められた温度よりも高温である場合には、前記清掃温度温調手段は、前記定着ジャムを発生させた記録材が取り除かれると、前記定着ローラの表面温度を、前記記録材に対応した温度へ温調することを特徴とする請求項３記載の画像形成装置。
【請求項５】
トナー像が形成された記録材を搬送する搬送路により搬送された記録材を、前記トナー像を記録材へ定着するための定着ローラと加圧ローラにより挟持して搬送しながらトナー像を前記記録材へ定着する定着装置を備えた画像形成装置の制御方法であって、
前記記録材が前記定着ローラに巻き付く定着ジャムが発生し、前記定着ジャムを発生させた記録材が取り除かれると、前記定着ローラの表面温度を、前記定着ローラに付着したトナーを清掃するための予め定められた温度へ温調する清掃温度温調ステップと、
前記清掃温度温調ステップにより前記表面温度が前記予め定められた温度になった場合に、前記定着ローラを清掃する清掃ステップと、
前記搬送路におけるジャムが発生し、前記搬送路におけるジャムを発生させた記録材が取り除かれた場合、または、前記清掃ステップにより前記定着ローラが清掃された場合に、前記定着ローラの表面温度を、前記記録材に対応した温度へ温調する記録材対応温度温調ステップと、
前記定着ローラの表面温度が前記記録材に対応した温度に温調されると、前記記録材へトナー像を形成する画像形成動作を再開する再開ステップと
を備えたことを特徴とする制御方法。
【請求項６】
前記記録材に対応した温度が、前記予め定められた温度よりも高温である場合には、前記清掃温度温調ステップは、前記定着ジャムを発生させた記録材が取り除かれると、前記定着ローラの表面温度を、前記記録材に対応した温度へ温調することを特徴とする請求項５記載の制御方法。
【発明の詳細な説明】
【技術分野】
【０００１】
本発明は、定着装置、画像形成装置及びその制御方法に関する。
【背景技術】
【０００２】
電子写真方式を用いて画像を形成する画像形成装置においては、紙などの記録材に転写されたトナー像を定着させる定着装置を備えている。この定着装置は、ヒータを内蔵した定着ローラに加圧ローラを圧接させることで形成されるニップ部に、未定着のトナー像を担持した記録材を通過させることにより、ニップ部の熱と圧力を用いて、未定着のトナー像を記録材に溶融定着する。
【０００３】
記録材に担持されたトナー像がニップ部を通過する際に、記録材で一度溶融したトナーが定着ローラに付着してしまったり、記録材の紙粉が定着ローラに付着してしまい、定着ローラの表面を汚してしまう。
【０００４】
そこで、定着装置には、定着ローラに付着したトナーや紙粉などの汚れを清掃する定着ウェブ等の清掃部材を備えるものがある。
【０００５】
定着ローラに付着したトナーや紙粉を清掃する場合、定着ローラの表面温度をトナーが溶融する温度よりも高い予め定められた温度となるまで上昇させた状態で、清掃部材を定着ローラに接触させながら定着ローラを回転駆動させる。
【０００６】
これは、定着ローラに付着したトナーが溶融していない状態では清掃部材の清掃能力が十分に発揮されないためである。
【０００７】
この清掃工程は、例えばジャムが発生した後にユーザにジャム紙を除去してもらった後や、記録材に画像を形成する前の調整工程などにおいて実施される。
【０００８】
また、清掃工程を適切に実施するために、ジャムが発生したことを示す情報を記憶し、主電源がオンされたときに前記情報が記憶されている場合と、記憶されていない場合とで定着ローラの接離動作や回転開始タイミングを変化させるものがある（例えば、特許文献１参照）。
【先行技術文献】
【特許文献】
【０００９】
【特許文献１】特開２０００−３５６９１６号公報
【発明の概要】
【発明が解決しようとする課題】
【００１０】
しかしながら、特許文献１の画像形成装置は、定着ローラにトナーや紙粉が付着していない場合であっても、ジャムが発生したことを示す情報が記憶されていれば、定着ローラの表面温度を所定温度まで上昇させてしまう。
【００１１】
そのため、清掃工程を実施した後に定着ローラの表面温度を予め定められた温度よりも低い目標温度に制御しなければならない場合に、定着ローラの表面温度が目標温度に低下するまでダウンタイムが生じてしまう。
【００１２】
本発明の目的は、ジャムの発生により生じるダウンタイムを低減させた定着装置、画像形成装置及びその制御方法を提供することにある。
【課題を解決するための手段】
【００１３】
上記目的を達成するために、請求項１の定着装置は、トナー像が形成された記録材を搬送する搬送路により搬送された記録材を、前記トナー像を記録材へ定着するための定着ローラと加圧ローラにより挟持して搬送しながらトナー像を前記記録材へ定着する定着装置であって、前記記録材が前記定着ローラに巻き付く定着ジャムが発生し、前記定着ジャムを発生させた記録材が取り除かれると、前記定着ローラの表面温度を、前記定着ローラに付着したトナーを清掃するための予め定められた温度へ温調する清掃温度温調手段と、前記清掃温度温調手段により前記表面温度が前記予め定められた温度になった場合に、前記定着ローラを清掃する清掃手段と、前記搬送路におけるジャムが発生し、前記搬送路におけるジャムを発生させた記録材が取り除かれた場合、または、前記清掃手段により前記定着ローラが清掃された場合に、前記定着ローラの表面温度を、前記記録材に対応した温度へ温調する記録材対応温度温調手段とを備えたことを特徴とする。
【発明の効果】
【００１４】
本発明によれば、定着ジャムではなく、搬送路におけるジャムが発生し、搬送路におけるジャムを発生させた記録材が取り除かれた場合に、定着ローラの表面温度を、記録材に対応した温度へ温調するようになっている。
【００１５】
その結果、定着ローラを清掃温度に温調するための時間を要することなく直ちに記録材Ｐに対応した温度へ温調するので、ジャムの発生により生じるダウンタイムを低減させることができる。
【図面の簡単な説明】
【００１６】
【図１】本発明の実施の形態に係る画像形成装置の概略構成を示す図である。
【図２】図１における定着装置の概略構成を示す図である。
【図３】図１における画像形成装置の制御ブロック図である。
【図４】図３における操作部の平面図及び画面例を示す図である。
【図５】図２における定着ローラの表面温度の推移を表した温度遷移図である。
【図６】図３におけるＣＰＵにより実行される定着温度制御処理の手順を示すフローチャートである。
【図７】図３におけるＣＰＵにより実行される定着温度制御処理の変形例の手順を示すフローチャートである。
【発明を実施するための形態】
【００１７】
以下、本発明の実施の形態について図面を参照しながら詳述する。
【００１８】
図１は、本発明の実施の形態に係る画像形成装置１００の概略構成を示す図である。
【００１９】
図１における画像形成装置１００は、画像読取部１Ｒで原稿画像を光学的に読み取り、色成分毎の画像信号を画像出力部１Ｐに送信する。
【００２０】
画像読取部１Ｒでは原稿台に原稿が置かれ、ユーザによってコピーボタンが押されると、光源から光が照射され、原稿で反射した光が反射鏡を介してイメージセンサ９０で受光される。
【００２１】
イメージセンサ９０に受光された原稿からの反射光は、カラーフィルタによってイエロー、マゼンタ、シアン、ブラックの色成分毎の反射光に分けられ、各色成分のトナー像を形成するための画像信号に変換される。
【００２２】
この各色成分の画像信号は、一列に配列された像形成部１０ａ、１０ｂ、１０ｃ、１０ｄの色成分毎に対応する露光装置１３ａ、１３ｂ、１３ｃ、１３ｄに入力される。
【００２３】
像形成部１０ａはブラックのトナー像を形成し、像形成部１０ｂはシアンのトナー像を形成し、像形成部１０ｃはマゼンタのトナー像を形成し、像形成部１０ｄはイエローのトナー像を形成する。
【００２４】
像形成部１０ａは、ブラックのトナー像を担持する感光ドラム１１ａの周りに、帯電器１２ａ、露光装置１３ａ、現像器１４ａ、１次転写ローラ３５ａ、及びドラムクリーナ１５ａを備えている。
【００２５】
帯電器１２ａは感光ドラム１１ａを帯電する。露光装置１３ａはブラックの色成分に対応する画像信号が入力されることにより、帯電器１２ａにより帯電された感光ドラム１１ａを露光してブラックの色成分に対応した静電潜像を形成する。
【００２６】
現像器１４ａは感光ドラム１１ａに形成された静電潜像をトナーを含む現像剤を用いてトナー像として顕像化する。
【００２７】
さらに、１次転写ローラ３５ａは、感光ドラム１１ａに担持されたブラックの色成分のトナー像を中間転写ベルト３０に転写する。また、ドラムクリーナ１５ａは感光ドラム１１ａに残留したトナーを除去する。
【００２８】
なお、像形成部１０ｂ、１０ｃ、及び１０ｄの構成は、像形成部１０ａと同様の構成であるので、ここでの説明を省略する。
【００２９】
中間転写ベルト３０は、トナー像が担持される像担持体であり、各像形成部１０ａ、１０ｂ、１０ｃ、及び１０ｄで形成された各色成分のトナー像を重ねて転写されることによって、フルカラーのトナー像が形成される。
【００３０】
また、中間転写ベルト３０は、駆動ローラ３２、従動ローラ３３、及び２次転写対向ローラ３４に掛け回されており、駆動ローラ３２の回転により、矢印Ｂ方向へと回転駆動される。
【００３１】
なお、１次転写ローラ３５ａが中間転写ベルト３０を介して感光ドラム１１ａを押圧する部分を１次転写ニップ部Ｔａとする。１次転写ローラ３５ｂが中間転写ベルト３０を介して感光ドラム１１ｂを押圧する部分を１次転写ニップ部Ｔｂとする。１次転写ローラ３５ｃが中間転写ベルト３０を介して感光ドラム１１ｃを押圧する部分を１次転写ニップ部Ｔｃとする。１次転写ローラ３５ｄが中間転写ベルト３０を介して感光ドラム１１ｄを押圧する部分を１次転写ニップ部Ｔｄとする。
【００３２】
中間転写ベルト３０の周囲には、この中間転写ベルト３０のトナー像を用紙などの記録材Ｐへ転写するための２次転写ローラ３６が配設されている。この２次転写ローラ３６が中間転写ベルト３０を介して２次転写対向ローラ３４を押圧する部分を２次転写ニップ部Ｔｅとする。
【００３３】
中間転写ベルト３０には、この中間転写ベルト３０から記録材Ｐへと転写されずに残留したトナーを除去するベルトクリーナ５０が配設されている。
【００３４】
定着装置４０は、搬送路４３により搬送された記録材Ｐを、定着ローラ４１ａと加圧ローラ４１ｂにより挟持して搬送しながら記録材Ｐを加熱することによって、トナー像を記録材Ｐへ定着する。
【００３５】
次に、画像形成装置１００が、イメージセンサ９０から入力される画像信号に応じた画像を印刷する画像形成動作について説明する。なお、画像形成装置１００は、通信線を介して、不図示の外部のスキャナや不図示のＰＣから画像データが転送されると、画像形成動作を実施して画像データに対応する画像を形成するようにしてもよい。
【００３６】
各像形成部１０ａ、１０ｂ、１０ｃ、１０ｄにおいて、まず、帯電器１２ａ、１２ｂ、１２ｃ、１２ｄが各感光ドラム１１ａ、１１ｂ、１１ｃ、１１ｄを一様に帯電する。
【００３７】
次いで、露光装置１３ａ、１３ｂ、１３ｃ、１３ｄが各感光ドラム１１ａ、１１ｂ、１１ｃ、１１ｄに各色成分の画像信号に応じた露光光を照射することで、各色成分の画像信号に対応する静電潜像が形成される。
【００３８】
その後、各感光ドラム１１ａ、１１ｂ、１１ｃ、１１ｄの静電潜像は現像器１４ａ、１４ｂ、１４ｃ、１４ｄによって各色成分のトナー像として顕像化される。
【００３９】
感光ドラム１１ａ、１１ｂ、１１ｃ、１１ｄの各色成分のトナー像は、この各感光ドラム１１ａ、１１ｂ、１１ｃ、１１ｄの回転に伴い１次転写ニップ部Ｔａ、Ｔｂ、Ｔｃ、Ｔｄへと搬送される。
【００４０】
１次転写ニップ部Ｔａ、Ｔｂ、Ｔｃ、Ｔｄにおいて、感光ドラム１１ａ、１１ｂ、１１ｃ、１１ｄの各色成分のトナー像は１次転写ローラ３５ａ、３５ｂ、３５ｃ、３５ｄから１次転写電圧が印加され、中間転写ベルト３０に順次重ねて転写される。
【００４１】
これにより、中間転写ベルト３０にはフルカラーのトナー像が形成される。また、感光ドラム１１ａ、１１ｂ、１１ｃ、１１ｄに残留したトナーは、ドラムクリーナ１５ａ、１５ｂ、１５ｃ、１５ｄによって除去される。
【００４２】
中間転写ベルト３０に転写されたトナー像は、この中間転写ベルト３０の矢印Ｂ方向への回転に伴い、２次転写ニップ部Ｔｅに搬送される。
【００４３】
一方、記録材Ｐはタイミングを調整されてフルカラーのトナー像と接触するように２次転写ニップ部Ｔｅへと搬送されると、２次転写電圧が印加された２次転写ローラ３６により、中間転写ベルト３０のフルカラーのトナー像が記録材Ｐに転写される。
【００４４】
また、２次転写ニップ部Ｔｅで記録材Ｐに転写されずに中間転写ベルト３０に残留したトナーは、ベルトクリーナ５０によって除去される。
【００４５】
トナー像を担持した記録材Ｐが定着装置４０へと搬送されると、定着装置４０は、定着ローラ４１ａと加圧ローラ４１ｂにより記録材Ｐを挟持して搬送しながら、定着ローラ４１ａ、及び加圧ローラ４１ｂに設けられたヒータにより記録材Ｐを加熱することで、トナー像を記録材Ｐへと定着する。
【００４６】
図２は、図１における定着装置４０の概略構成を示す図である。
【００４７】
図２において、定着装置４０は、ヒータ２０１によって加熱される定着ローラ４１ａと、ヒータ２０２によって加熱され、定着ローラ４１ａと逆方向に回転する加圧ローラ４１ｂとを備える。
【００４８】
定着ローラ４１ａの表面近傍に温度検出用のサーミスタ２０３が設けられており、このサーミスタ２０３の検出結果に基づいてヒータ２０１，２０２の点灯と非点灯が制御される。
【００４９】
記録材Ｐの表面に未定着トナーＴが担持された記録材Ｐは、矢印Ｃ方向に搬送され、定着ローラ４１ａと加圧ローラ４１ｂとの間に形成されるニップ部Ｎを通過する間に、加熱、及び加圧されて未定着トナーが溶融、定着される。
【００５０】
記録材Ｐの搬送方向の下流側には剥離案内板２０４が設置されている。記録材Ｐが搬送される搬送路４３には紙検知センサ２０７，２０８，２０９，２１０が配置されている。
【００５１】
紙検知センサ２０７，２０８は、搬送路４３に設けられた不図示のローラが記録材Ｐを定着装置４０に搬送する搬送方向において記録材Ｐの先端を検知する。さらに、紙検知センサ２０８は、ジャムが発生した場合、ユーザによってジャム紙が除去された後に記録材Ｐがニップ部Ｎに残っていないかを識別するために、記録材Ｐの有無を検知する。
【００５２】
紙検知センサ２０９，２１０は、前述の搬送方向においてニップ部Ｎを通過した記録材Ｐの先端を検知する。紙搬送ローラ４４は、定着装置４０から排紙された記録材Ｐを画像形成装置１から排出する。
【００５３】
クリーニングローラ２１２は、定着ローラ４１ａ表面に付着したトナー（以下、「オフセットトナー」という）や紙粉などの汚れを清掃するために定着ローラ４１ａに接触された状態で従動回転する。クリーニングローラ２１２に付着した汚れは、定着ウェブ２１１によって拭き取られる。
【００５４】
なお、クリーニングローラ２１２、及び定着ウェブ２１１は着脱機構を持たず、常に接触している。クリーニングローラ２１２と定着ローラ４１ａも常に接触している。これにより、定着ローラ４１ａの表面に付着した汚れが一旦クリーニングローラ２１２に付着した後、クリーニングローラ２１２の汚れが定着ウェブ２１１によって清掃される。
【００５５】
図３は、図１における画像形成装置１００の制御ブロック図である。
【００５６】
図３において、ＣＰＵ３００は、画像形成装置１００全体を制御する制御回路である。操作部１０１は、画像形成装置１００の不図示の給紙部に収容された記録材Ｐの坪量、サイズ、及び表面性などの紙種に関する情報や画像形成に関する情報をユーザが入力するためのものである。操作部１０１から入力された上記情報は、紙種設定部３０２に記憶される。
【００５７】
ヒータ駆動部３０８は、ヒータ２０１，２０２の点灯や消灯を制御する。定着温調設定部３０３は、紙種設定部３０２に記憶された紙種に応じた温調温度や、定着ローラ４１ａに付着したオフセットトナーや紙粉を除去するための清掃温度を設定する。
【００５８】
温度制御部３０６は、サーミスタ２０３によって検知された定着ローラ４１ａの表面温度が定着温調設定部３０３によって設定された温度となるように、ヒータ駆動部３０８を用いてヒータ２０１，２０２の点灯時間を制御する。
【００５９】
紙搬送駆動部３１０は、記録材Ｐを搬送するための各モータを駆動する。搬送紙検知部３０９は、上記給紙部から給紙された記録材Ｐが搬送される搬送路４３に設けられた紙検知センサ２０７、２０８、２０９、２１０、及び２１１である。
【００６０】
搬送紙検知部３０９は、記録材Ｐが各紙検知センサの検出位置に到達すると、記録材Ｐを検出したことを示す信号を出力する。紙搬送制御部３０４は、搬送紙検知部３０９から出力される信号に基づき、紙搬送駆動部３１０を制御して記録材Ｐの搬送速度を調整する。
【００６１】
定着部材清掃部３１１は、定着ウェブ２１１と定着ウェブ２１１とを送り出すためのギアとソレノイドで構成されている。定着部材清掃部制御部３０５は、定着部材清掃部３１１のギアとソレノイドを駆動して、定着ウェブ２１１の送り出し量を制御する。
【００６２】
ＣＰＵ３００は、像形成部１０ａ，１０ｂ，１０ｃ，１０ｄを制御して画像形成動作を開始すると、トナー像が形成される記録材Ｐの紙種に応じて定着温調設定部３０３が温調温度を設定する。
【００６３】
温度制御部３０６は定着温調設定部３０３により設定された温調温度に基づいてヒータ駆動部３０８を駆動させる。なお、本実施の形態において、例えば、坪量が１３０［ｇ／m2］の普通紙にトナー像を定着する際の温調温度の目標値が１８０［℃］であり、坪量が７０［ｇ／m2］の薄紙にトナー像を定着する際の温調温度の目標値が１５０［℃］である。
【００６４】
また、画像形成動作に先立ち、紙搬送制御部３０４が紙搬送駆動部３１０を制御して、紙搬送駆動部３１０が給紙部から記録材Ｐを給紙すると共に、この記録材Ｐを２次転写ニップ部Ｔｅに向けて搬送する。
【００６５】
２次転写ニップ部Ｔｅにおいてトナー像が転写された記録材Ｐは、定着装置４０を通過すると記録材Ｐにトナー像が定着された印刷物として画像形成装置１００から出力される。
【００６６】
ここで、所望のタイミングとなっても搬送紙検知部３０９から記録材Ｐを検出したことを示す信号が出力されない場合、紙搬送制御部３０４はジャムが発生したと判別する。
【００６７】
これにより、ＣＰＵ３００は、画像形成動作を停止させると共に、紙搬送制御部３０４が紙搬送駆動部３１０の駆動を停止して記録材Ｐの搬送を停止させ、温度制御部３０６がヒータ駆動部３０８の駆動を停止させる。
【００６８】
さらに、ＣＰＵ３００は、操作部１０１にジャムが発生した旨のメッセージと、ジャム紙を除去する方法をユーザに通知するために、ジャム紙を除去する方法を示したガイダンスを操作部１０１に表示する。なお、ジャム紙の除去方法については公知の技術であるので、ここでの説明を省略する。ＣＰＵ３００は、ユーザによってジャム紙が除去されると、後述の復帰シーケンスを実施し、画像形成動作を再開する。
【００６９】
ＣＰＵ３００が実施する復帰シーケンスについて説明する。まず、本実施の形態では、記録材Ｐが定着ローラ４１ａに巻きついた定着ジャムと、記録材Ｐが搬送路４３に滞留する滞留ジャムとを区別している。
【００７０】
画像形成装置１００が定着ジャムを発生した場合、ヒータ２０１，２０２への電力供給が遮断されて定着ローラ４１ａの表面温度が低下する。これによって、定着ローラ４１ａに巻きついた記録材Ｐのトナーが定着ローラ４１ａの表面に付着している可能性がある。
【００７１】
復帰シーケンスにおいては、定着温調設定部３０３により設定された清掃温度となるように、定着温調設定部３０３がヒータ駆動部３０８を駆動させ、定着ローラ４１ａの表面温度を制御する。本実施の形態において、清掃温度は１８０［℃］とする。
【００７２】
サーミスタ２０３により検知される定着ローラ４１ａの表面温度が清掃温度（１８０［℃］）に到達すると、定着部材清掃部３１１により定着ローラ４１ａのオフセットトナーや紙粉を除去する清掃工程が実施される。
【００７３】
この清掃工程が終了すると、定着温調設定部３０３により記録材Ｐの紙種に基づいた温調温度が設定され、温度制御部３０６が定着温調設定部３０３により設定された温調温度となるようにヒータ駆動部３０８を駆動させる。
【００７４】
次いで、サーミスタ２０３により検知された定着ローラ４１ａの表面温度が前述の温調温度となると、ＣＰＵ３００が画像形成動作を再開させる。
【００７５】
図４は、図３における操作部１０１の平面図及び画面例を示す図である。
【００７６】
図４（Ａ）は、操作部１０１の平面図である。同図に示されるように、操作部１０１は、タッチパネルディスプレイ１０１ａを備え、図４（Ｂ）（Ｃ）（Ｄ）は、タッチパネルディスプレイ１０１ａに表示される画面例を示している。
【００７７】
このうち、図４（Ｂ）は、一例としてコピー画面を示す図であり、コピー画面には、コピー枚数、選択用紙サイズ、倍率、コピー濃度、仕上げ、及び片面／両面モードが表示されている。
【００７８】
このコピー画面が表示されている場合の操作部１０１について、図４（Ａ）を用いて説明する。
【００７９】
操作部１０１は、コピーモードを標準モードに戻すためのリセットキー１０１ｂを備える。スタートキー１０１ｃは、コピー動作を開始するためのキーである。ストップキー１０１ｄは、コピー動作を中断するためのキーである。
【００８０】
クリアキー１０１ｅは、入力した数値を消すためのキーである。テンキー１０１ｆは、コピー枚数を設定するためのキーである。カラーモード選択キー１０１ｇは、ＡＣＳキー、Ｃｏｌｏｒキー、及びＢｌａｃｋキーを備え、これらの中から選択されたいずれか１つのキーは点灯するようになっている。
【００８１】
ＡＣＳキーは、原稿がカラーか白黒かを自動的に判別して、カラーの場合はカラー画像を出力し、白黒の場合は白黒画像を出力するためのキーである。Ｃｏｌｏｒキーは、原稿を判別することなくカラー画像を出力するためのキーである。Ｂｌａｃｋキーは、原稿を判別することなく白黒画像を出力するためのキーである。
【００８２】
ユーザモードキー１０１ｈは、メニューを選択するためのキーであり、ユーザはこのキーを押下することで、画像形成装置１００の各種設定や調整を行うことができる。ユーザは、例えば、「用紙種類の登録」など印刷を行うための設定のためのメニューを選択することができる。
【００８３】
図４（Ｃ）（Ｄ）は、用紙種類の登録画面を示す図である。
【００８４】
図４（Ｃ）に示される用紙種類の登録画面は、ユーザが「用紙種類の登録」を選択するとタッチパネルディスプレイ１０１ａ表示され、使用する記録材Ｐの種類を登録することが可能となる。
【００８５】
例えば、ユーザが「普通紙」を選択すると、図４（Ｄ）に示されるように、普通紙の坪量を入力するための画面が表示され、テンキー１０１ｆから数値を入力することができる。
【００８６】
また、図３で説明した紙種設定部３０２は、用紙種類の登録画面から登録された用紙の種類、及び坪量に基づいて、各用紙にトナー像を定着させるための温調温度を決定し、各用紙の紙種と温調温度を関連付けて記憶する。
【００８７】
図５は、図２における定着ローラ４１ａの表面温度の推移を表した温度遷移図である。
【００８８】
図５（Ａ）は、定着ジャムが発生した後の定着ローラ４１ａの表面温度の推移を表した温度遷移図である。図５（Ａ）に示されるように、定着温度はＡ［℃］＞Ｂ［℃］＞Ｃ［℃］となっている。
【００８９】
Ａ［℃］は、坪量が２００［ｇ／m2］以上の厚紙に対応する温調温度であり、例えば１９０［℃］である。
【００９０】
Ｂ［℃］は、坪量が８０〜１９９［ｇ／m2］の普通紙に対応する温調温度であり、例えば約１８０［℃］である。また、Ｂ［℃］は、定着ローラ４１ａのオフセットトナーを清掃するために、オフセットトナーを溶融する清掃温度でもある。
【００９１】
Ｃ［℃］は、坪量が７９［ｇ／m2］以下の薄紙に対応する温調温度であり、例えば約１２０［℃］である。ジャムが発生すると定着装置４０のヒータ２０１，２０２が消灯されるので、定着温度はＣ［℃］よりも低い温度まで低下する。
【００９２】
図５（Ａ）には、ジャム紙が除去された後の復帰シーケンスにおいて、温調開始からｔ０［秒］後にＣ［℃］に達し、さらにｔ１［秒］後にＢ［℃］に達することが示されている。
【００９３】
定着ジャムが発生した場合、定着ローラ４１ａに巻きついた記録材Ｐのトナーが定着ローラ４１ａに付着している可能性があるので、Ｂ［℃］に達した後に予め定められた時間だけ清掃工程が実施される。
【００９４】
Ｂ［℃］に到達してから、清掃工程を終了させて定着ローラ４１ａの表面温度を紙種に対応した温調温度に制御し始めるまでにｔ２［秒］を要する。
【００９５】
本実施の形態において、清掃温度Ｂ［℃］から厚紙に対応した温調温度Ａ［℃］へ温度を上昇させる場合にｔ３［秒］を要し、清掃温度Ｂ［℃］から薄紙に対応した温調温度Ｃ［℃］へ温度を低下させる場合にｔ４［秒］を要する。
【００９６】
このように、定着装置４０の構造上、ヒータを消灯させてＢ［℃］からＣ［℃］に温度を低下させるまでに要する時間（ｔ４［秒］）がヒータを点灯させてＢ［℃］からＡ［℃］に温度を上げるまでに要する時間（ｔ３［秒］）よりも長くなってしまう。
【００９７】
以上をまとめると、定着ジャムが発生した場合、厚紙にトナー像を転写できる状態となるまでにｔ０＋ｔ１＋ｔ２＋ｔ３［秒］を要する。
【００９８】
また、普通紙にトナー像を転写できる状態となるまでにｔ０＋ｔ１＋ｔ２［秒］を要する。
【００９９】
さらに、薄紙にトナー像を転写できる状態となるまでにｔ０＋ｔ１＋ｔ２＋ｔ４［秒］を要する。
【０１００】
図５（Ｂ）は、定着装置４０以外の搬送路４３において滞留ジャムが発生した後の定着ローラ４１ａの表面温度の推移を表した温度遷移図である。
【０１０１】
図５（Ｂ）には、ジャムが除去された後の復帰シーケンスにおいて、温調開始からｔ０［秒］後にＣ［℃］に達することが示されている。
【０１０２】
本実施の形態においては、定着ローラ４１ａに記録材Ｐが巻きついていないことが判別されると、ＣＰＵ３００は清掃工程を実施せずに定着ローラ４１ａを直接温調温度に制御する。
【０１０３】
つまり、ジャムが発生してから厚紙にトナー像を転写できる状態となるまでにｔ０＋ｔ１＋ｔ３［秒］を要する。
【０１０４】
また、ジャムが発生してから普通紙にトナー像を転写できる状態となるまでにｔ０＋ｔ１［秒］を要する。
【０１０５】
さらに、ジャムが発生してから薄紙にトナー像を転写できる状態となるまでにｔ０［秒］を要する。
【０１０６】
従って、復帰シーケンスにおいて、定着ジャムが発生していない場合は、定着ジャムが発生している場合と比較して、定着ローラ４１ａの表面温度がＡ［℃］及びＢ［℃］となるまでに要する時間をそれぞれｔ２［秒］短縮できる。
【０１０７】
さらに、復帰シーケンスにおいて、定着ジャムが発生していない場合は、定着ジャムが発生している場合と比較して、定着ローラ４１ａの表面温度がＣ［℃］となるまでに要する時間をｔ１＋ｔ２＋ｔ４［秒］短縮できる。
【０１０８】
図６は、図３におけるＣＰＵ３００により実行される定着温度制御処理の手順を示すフローチャートである。
【０１０９】
図６において、ユーザによって操作部１０１から記録材Ｐの坪量やサイズなどの条件設定が完了し（ステップＳ１０１）、画像を形成する一連の処理であるジョブが開始されると（ステップＳ１０２）、ＣＰＵ３００は画像形成動作を開始する。
【０１１０】
次いで、温度制御部３０６は、定着温調設定部３０３により印刷すべき記録材Ｐの紙種毎に設定された温調温度を読み出し、この温調温度に基づいてヒータ駆動部３０８を駆動する。
【０１１１】
そして、サーミスタ２０３により検知された定着ローラ４１ａの表面温度が前述の温調温度に到達すると、紙搬送制御部３０４が紙搬送駆動部３１０を制御して、記録材Ｐを定着装置４０へと搬送して記録材Ｐのトナー像を記録材Ｐに定着させる。
【０１１２】
こうした画像形成動作中、ＣＰＵ３００はジャムが発生したか否か判別する（ステップＳ１０３）。これは、搬送紙検知部３０９から所望のタイミングで記録材Ｐを検出したことを示す信号が出力されたか否かで判別することができる。
【０１１３】
ステップＳ１０３の判別の結果、ジャムが発生していない場合には（ステップＳ１０３でＮＯ）、ジョブが完了したか否か判別する（ステップＳ１１６）。ステップＳ１１６の判別の結果、ジョブが完了した場合には（ステップＳ１１６でＹＥＳ）、本処理を終了する。
【０１１４】
一方、ステップＳ１１６の判別の結果、ジョブが完了していない場合には（ステップＳ１１６でＮＯ）、上記ステップＳ１０３に戻る。
【０１１５】
上記ステップＳ１０３に戻り、ステップＳ１０３の判別の結果、ジャムが発生した場合には（ステップＳ１０３でＹＥＳ）、画像形成動作を停止させる。
【０１１６】
そして、紙搬送制御部３０４は、搬送紙検知部３０９の出力に基づいて所望のタイミングとなっても信号を出力しない紙検知センサを特定し、発生したジャムが定着ジャムか否か判別する（ステップＳ１０４）。このとき、判別した結果に応じて、ＣＰＵ３００は、ジャムが発生している旨のメッセージとジャム紙を除去するためのガイダンスを操作部１０１へ表示する。
【０１１７】
ステップＳ１０４の判別の結果、発生したジャムが定着ジャムではない場合（ステップＳ１０４でＮＯ）、ユーザによりジャム処理が完了すると（ステップＳ１０５）、ＣＰＵ３００は清掃工程を実施しない復帰シーケンスを開始する（ステップＳ１０６）。
【０１１８】
次いで、記録材Ｐに対応した温度を温調温度として温調を開始する（ステップＳ１０７）。具体的には、サーミスタ２０３の検知温度が、画像形成動作を再開した直後に形成される画像を定着させる記録材Ｐの紙種やサイズに基づいて定まる温調温度になるように、温度制御部３０６がヒータ駆動部３０８を駆動させる。このステップＳ１０７において、温度制御手段３０６は、ジャムを発生させた記録材Ｐ（ジャム紙）が取り除かれた場合、または、定着ローラ４１ａが清掃された場合に、定着ローラ４１ａの表面温度を、記録材の紙種に対応した温度へ温調する記録材対応温度温調手段として機能する。
【０１１９】
そして、サーミスタ２０３の検知温度が温調温度に達すると（ステップＳ１０８でＹＥＳ）、画像形成動作を再開し（ステップＳ１０９）、上記ステップＳ１０３に戻る。ステップＳ１０９において、ＣＰＵ３００は、定着ローラ４１ａの表面温度が記録材Ｐに対応した温度に温調されると、像形成部１０ａ、１０ｂ、１０ｃ、及び１０ｄによって記録材Ｐへトナー像を形成する画像形成動作を再開させる再開手段に対応する。
【０１２０】
上記ステップＳ１０４の処理に戻り、ステップＳ１０４の判別の結果、発生したジャムが定着ジャムの場合（ステップＳ１０４でＹＥＳ）、ユーザによりジャム処理が完了すると（ステップＳ１１０）、清掃工程を実施する復帰シーケンスを開始する（ステップＳ１１１）。
【０１２１】
次いで、温度制御部３０６は、定着温調設定部３０３により設定されたオフセットトナーが溶融される清掃温度（例えば、１８０［℃］）となるように温調を開始する（ステップＳ１１２）。具体的には、サーミスタ２０３の検知温度が清掃温度となるように、温度制御部３０６がヒータ駆動部３０８を駆動させる。このステップＳ１０２において、温度制御部３０６は、記録材Ｐが定着ローラ４１ａに巻き付く定着ジャムが発生し（ステップＳ１０４でＹＥＳ）、定着ジャムを発生させた記録材Ｐが取り除かれると（ステップＳ１１０）、定着ローラ４１ａの表面温度を、定着ローラに付着したトナーを清掃するための予め定められた温度（本実施の形態では清掃温度）へ温調する清掃温度温調手段に対応する。
【０１２２】
そして、サーミスタ２０３の検知温度が清掃温度に達すると（ステップＳ１１３でＹＥＳ）、定着部材清掃部制御部３０５が定着部材清掃部３１１を制御して定着ローラ４１ａの清掃を開始する（ステップＳ１１４）。ステップＳ１１４において、定着部材清掃部制御部３０５は、定着ローラ４１ａの表面温度が予め定められた温度になった場合に、定着ウェブ２１１とクリーニングローラ２１２を用いて定着ローラ４１ａを清掃する清掃手段に対応する。
【０１２３】
なお、本実施の形態では、定着ローラ４１ａが３回転するまで清掃工程を実施する。定着ローラ４１ａの清掃が終了すると（ステップＳ１１５）、上記ステップＳ１０７に進む。
【０１２４】
図６の定着温度制御処理によれば、定着ジャムでなければ、定着温度を清掃温度に制御することなく温調温度に制御するので、ジャム処理後に画像形成動作を再開できる状態となるまでの時間を短縮することができる。
【０１２５】
図７は、図３におけるＣＰＵ３００により実行される定着温度制御処理の変形例の手順を示すフローチャートである。
【０１２６】
図７に示される変形例では、図６のステップＳ１０４でＹＥＳとなって分岐した後に、さらに、記録材Ｐに対応した温度が清掃温度より高温か否か判別する処理が実行される。
【０１２７】
図６のステップＳ１０４でＹＥＳとなるのは、定着ジャムが発生した場合であるが、このとき、図６の処理では、まず清掃温度に温調して、定着ローラ４１ａを清掃し、その後記録材Ｐに対応した温度へ温調していた。
【０１２８】
ところが、記録材Ｐに対応した温度が清掃温度より高温である場合、記録材Ｐに対応した温度においても清掃可能である。
【０１２９】
従って、図７の処理では、記録材Ｐに対応した温度が清掃温度より高温の場合に、直ちに記録材Ｐに対応した温度に温調する。こうすることで、清掃工程が終了すると、直ちに画像形成を開始することが可能となる。
【０１３０】
図７において、ステップＳ１０４の判別結果、発生したジャムが定着ジャムの場合（ステップＳ１０４でＹＥＳ）、記録材Ｐに対応した温度が清掃温度より高温か否か判別する（ステップＳ２１７）。
【０１３１】
ステップＳ２１７の判別の結果、記録材Ｐに対応した温度が清掃温度より高温ではない場合には（ステップＳ２１７でＮＯ）、図６のステップＳ１１０に進む。
【０１３２】
一方、ステップＳ２１７の判別の結果、記録材Ｐに対応した温度が清掃温度より高温の場合（ステップＳ２１７でＹＥＳ）、ユーザによりジャム処理が完了すると（ステップＳ２１８）、清掃工程を実施する復帰シーケンスを開始する（ステップＳ２１９）。
【０１３３】
次いで、温度制御部３０６は、記録材Ｐに対応した温度を温調温度として温調を開始する（ステップＳ２２０）。
【０１３４】
このように、本実施の形態では、記録材Ｐに対応した温度が、予め定められた温度（清掃温度）よりも高温である場合には（ステップＳ２１７でＹＥＳ）、定着ジャムを発生させた記録材が取り除かれると（ステップＳ２１８）、定着ローラ４１ａの表面温度を、記録材Ｐに対応した温度へ温調する。
【０１３５】
そして、清掃温度に達すると（ステップＳ２２１でＹＥＳ）、定着部材清掃部制御部３０５が定着部材清掃部３１１を制御して定着ローラ４１ａの清掃を開始する（ステップＳ２２２）。
【０１３６】
そして、定着ローラ４１ａの清掃が終了すると（ステップＳ２２３）、図６のステップＳ１０９に進む。
【０１３７】
図７の変形例によれば、記録材Ｐに対応した温度が清掃温度より高温の場合には、清掃工程が終了すると、直ちに画像形成を開始することが可能となる。
【０１３８】
以上説明したように、本実施の形態によれば、定着ジャムではなく、搬送路４３におけるジャムが発生し（ステップＳ１０２でＮＯ）、搬送路４３におけるジャムを発生させた記録材Ｐが取り除かれた場合に（ステップＳ１０５）、定着ローラ４１ａの表面温度を、記録材Ｐに対応した温度へ温調するようになっている（ステップＳ１０７）。
【０１３９】
その結果、定着ローラ４１ａを清掃温度に温調するための時間を要することなく直ちに記録材Ｐに対応した温度へ温調するので、ジャムの発生により生じるダウンタイムを低減させることができる。
【符号の説明】
【０１４０】
１０ａ、１０ｂ、１０ｃ、１０ｄ  像形成部
４０  定着装置
４１ａ  定着ローラ
４１ｂ  加圧ローラ
２０１，２０２  ヒータ
２０３  サーミスタ
３００  ＣＰＵ
３０２  紙種設定部
３０３  定着温調設定部
３０６  温度制御部
３０８  ヒータ駆動部
３０９  搬送紙検知部
３１０  紙搬送駆動部
３１１  定着部材清掃部
【図１】
2015087700.tif 000003
【図２】
2015087700.tif 000004
【図３】
2015087700.tif 000005
【図４】
2015087700.tif 000006
【図５】
2015087700.tif 000007
【図６】
2015087700.tif 000008
【図７】
2015087700.tif 000009